【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
酢酸を含有する水性ＤＭＡｃ溶液から、ＤＭＡｃを分離する方法であって、
（ａ）該溶液を、供給口と入口とを備えかつ頂部部分と底部分とがあり、該底部分には上方底部分、中央底部分および下方底部分がある第１蒸留カラムに、該カラムの下方底部分は実質的に乾燥しているが該カラムの上方底部分は実質的に湿っているようにし、酢酸が該第１カラムのオーバーヘッド流と底部流とに分配されるようにするに十分な温度で、供給すること、
（ｂ）該第１カラムの底部流を第２蒸留カラムの入口に供給して、精製されたＤＭＡｃはオーバーヘッド流中へ分配され、ＤＭＡｃと酢酸との混合物は底部流へ分配されるようにすること、さらに、
（ｃ）該ＤＭＡｃと酢酸との混合物から、酢酸の追加的部分を、該第１カラムのオーバーヘッド流へ分配すること、
を含む、方法。
【請求項２】
さらに、該第２カラムのオーバーヘッド部分から精製されたＤＭＡｃを回収することを含む、請求項１に記載の方法。
【請求項３】
カラムの温度プロファイルが、
第１カラム内の総温度差の＜約１５％がその頂部部分において生じ、
第１カラム内の総温度差の＜約１５％がその上方底部分において生じ、そして、
第１カラム内の総温度差の＞約７０％がその中央および下方底部分において生じる
結果となるものである、請求項１に記載の方法。
【請求項４】
該第２カラムからの底部流を、第１カラムへ、ポンプアラウンド流として供給する、請求項１に記載の方法。
【請求項５】
該第１カラムの底部流を、第２カラムへ、液体供給物として供給する、請求項４に記載の方法。
【請求項６】
該第１カラムの底部流を、第２カラムへ供給される蒸気側流として供給する、請求項４に記載の方法。
【請求項７】
該底部ポンプアラウンド流を、第１カラムへその供給口で供給する、請求項４に記載の方法。
【請求項８】
該底部ポンプアラウンド流を、第１カラムへその供給口の上方に設けてある入口で供給する、請求項４に記載の方法。
【請求項９】
該底部ポンプアラウンド流を、第１カラムへその上方底部分内に設けてある入口で供給する、請求項４に記載の方法。
【請求項１０】
該第２カラムの底部流が、共沸濃度以下の酢酸を含有するものである、請求項１に記載の方法。
【請求項１１】
温度が、第１カラムの操作圧力の関数である、請求項３に記載の方法。
【請求項１２】
第１カラムのオーバーヘッド流中に分配した酢酸を液体として回収する、請求項１に記載の方法。
【請求項１３】
第１カラムのオーバーヘッド流中に分配した酢酸を蒸気として回収する、請求項１に記載の方法。
【請求項１４】
ＤＭＡｃを第２カラムのオーバーヘッドから液体として回収する、請求項２に記載の方法。
【請求項１５】
ＤＭＡｃを第２カラムのオーバーヘッドから蒸気として回収する、請求項２に記載の方法。
【請求項１６】
第１カラムの底部流を、液体、蒸気、および液体／蒸気混合物から成る群から選択される物理的状態で、第２蒸留カラムへ供給する、請求項１に記載の方法。
【請求項１７】
第２カラムからの底部流を第１カラムへ供給することにより、酢酸の追加的部分を分配する、請求項１に記載の方法。
【請求項１８】
第２カラムからの底部流を第１カラムへ戻してから、第１カラムからの底部ポンプアラウンド流を供給することにより、酢酸の追加的部分を分配する、請求項１に記載の方法。
【請求項１９】
第１および第２カラム共用のリボイラーを用いて底部ポンプアラウンド流を得る、請求項４に記載の方法。
【請求項２０】
供給材料溶液中の流体成分を分離する装置であって、
（ａ）溶液の供給口、オーバーヘッド蒸留物流用のオーバーヘッドコンデンサー、底部蒸留物流用のリボイラー、および出口を備えている第１蒸留カラム、但し、該カラムには頂部部分と底部分とがあり、該底部分には、上方底部分、中央底部分、および下方底部分があり、該第１蒸留カラムには第２蒸留カラムが順に設置されている、
（ｂ）第１カラムからの底部蒸留物流用の供給口、オーバーヘッド蒸留物流用のオーバーヘッドコンデンサー、所望による底部物用リボイラー、および出口を備えている、第２蒸留カラム、
（ｃ）第２カラムからの底部物流を第１カラムへ供給するためのポンプ、および
（ｄ）カラムの上方底部分は実質的に湿っており、カラムの下方底部分は実質的に乾燥しているように温度プロファイルを調節する制御器、
を含む装置。
【請求項２１】
該制御器が、オーバーヘッド蒸留物流と底部蒸留物流温度間の第１カラム内温度プロファイルを、
＜約１５％の総温度差がその頂部部分において生じ、
＜約１５％の総温度差が第１カラム内の上方底部分において生じ、そして、
＞約７０％の総温度差がその中央底部分および下方底部分において生じる、
ように調節する、請求項２０に記載の装置。
【請求項２２】
該制御器が、第１カラムのリボイラー上にある、請求項２０に記載の装置。
【請求項２３】
水性溶液中で酢酸からＮ,Ｎ−ジメチルアセトアミド（ＤＭＡｃ）を精製する方法であって、
該溶液を、酢酸水溶液が該第１カラムからの蒸留物流として分配されるに十分な条件下に第１蒸留カラムの供給口へ供給すること、
第１カラム底部からの非−蒸留底部物のポンプアラウンドを、第１カラムの供給口および第２蒸留カラムへ、実質的に精製されたＤＭＡｃが第２カラムからの蒸留物として蒸留されるに十分な条件下に供給すること、および
ＤＭＡｃと酢酸とを含有する第２カラムからの非−蒸留底部物を、酢酸水溶液はさらに第１カラムのオーバーヘッドに分配し、ＤＭＡｃは第１カラムの底部物に分離するために第１カラムに供給すること、
を含む方法。
【請求項２４】
実質的に純粋なＤＭＡｃを、第２カラムからの蒸留物として回収することをさらに含む、請求項２３に記載の方法。
【請求項２５】
該条件が、該第１カラムの下方底部分が実質的に乾燥しているようにするに十分な温度プロファイルを含む、請求項２３に記載の方法。
【請求項２６】
該温度プロファイルが、該カラムの上方底部分が実質的に湿っているようにする、該供給ステージの温度以下で温度平坦部を生じさせるものである、請求項２３に記載の方法。
【請求項２７】
低沸点第一成分、高沸点第二成分、および該第二成分と高沸点の２成分共沸物を形成する第三成分、とを含有する溶液中の、少なくとも１成分の精製方法であって、
（ａ）該溶液を第１蒸留カラムに、該カラムの下方底部分には該第一成分が実質的に存在しないが該カラムの上方底部分には該第一成分が実質的に豊富にあるようになり、該第三成分が該第１カラムのオーバーヘッド流と底部流との間で分配されるようになるに十分な温度で、供給すること（但し、該第１カラムは、供給口および入口を備え、頂部部分および底部分があり、該底部分には、上方底部分、中央底部分、および下方底部分がある）、
（ｂ）該第１カラムの底部流を、第２蒸留カラムの入口に供給して、実質的に精製された第二成分をオーバーヘッド流中に、そして第二成分と第三成分の混合物を底部流中に分配させること、および
（ｃ）該第２カラムからの底部流を該第１カラムの供給口へ供給して、該第二成分と該第三成分との混合物から該第三成分の追加的部分を該第１カラムのオーバーヘッド流中に分配させること［但し、（ｉ）該第一成分は低沸点化合物であり、少なくとも約２５％の濃度で供給材料中に存在し；（ｉｉ）該第二成分は該第一成分より相対的に高沸点化合物であり、少なくとも約５％の濃度で供給材料中に存在し；（ｉｉｉ）該第三成分は供給材料中に最大で約５％の濃度で存在し、該第二成分と高沸点共沸物を形成する］
を含み；そして
（ｄ）該第一成分が、２成分共沸物を解消し、制御し、または緩和させ得るものである、
方法。